(57)【要約】【課題】画像形成装置の上部に原稿読み取り装置を配置し、上部の原稿読み取り装置を回動自在にして画像形成装置の上方を開放可能に構成したものでは、回動領域を広くしようとすると、全域にわたって良好な操作性を維持するのが難しく、更なる操作性の向上が求められる。【解決手段】画像形成装置本体２１ａに配設された左ワンウェイヒンジ２５と、この回転軸と一体的に回転する左ピニオンギヤ２７と、回動部（３１，１３，１４，１１，１５）に配設され、前記回動部が第１の回動領域を回動するとき左ピニオンギヤ２７と噛合する第１左ラックギヤ３３ａと、前記回動部が第１の回動領域とは異なる第２の回動領域を回動するとき左ピニオンギヤ２７と噛合する第２左ラックギヤ３３ｂとを有し、前記回動部が一方向に回動するとき、第１の回動領域と第２の回動領域とで、ピニオンギヤ２７の回転方向が異なるように構成する。【選択図】図６
2015225266.tif 000002
【特許請求の範囲】
【請求項１】
基部と該基部に所定の回動領域で回動自在に保持された回動部とを備えた複合装置において、
前記基部に配設されたワンウェイヒンジと、
前記ワンウェイヒンジの回転軸と一体的に回転するピニオンギヤと、
前記回動部に配設され、前記回動部が前記回動領域内の第１の回動領域を回動するとき前記ピニオンギヤと噛合する第１のラックギヤと、
前記回動部に配設され、前記回動部が前記回動領域内の前記第１の回動領域とは異なる第２の回動領域を回動するとき前記ピニオンギヤと噛合する第２のラックギヤと
を有し、
前記第１の回動領域と前記第２の回動領域とは、前記ピニオンギヤがフリーとなる第３の回動領域を介して連続して設けられ、
前記回動部が一方向に回動するとき、前記第１の回動領域と前記第２の回動領域とで、前記ピニオンギヤの回転方向が異なるように構成したことを特徴とする複合装置。
【請求項２】
前記回動部が前記第３の回動領域にあるとき、該回動部の回動軸の略鉛直上方に該回動部の重心が位置することを特徴とする請求項１記載の複合装置。
【請求項３】
前記回動部が前記第１の回動領域から前記第２の回動領域に向けて回動するとき、前記ピニオンギヤが、前記第１の回動領域では前記ワンウェイヒンジが空転する方向に回転し、前記第２の回動領域では前記ワンウェイヒンジが逆方向トルクを発生する方向に回転することを特徴とする請求項１又は２記載の複合装置。
【請求項４】
前記第１のラックギヤと前記第２のラックギヤとは、前記ピニオンギヤと、前記回動軸及び前記回転軸の各軸心を結ぶ線上の、前記回転軸を挟んだ対向する位置で個別に噛合することを特徴とする請求項１乃至３の何れかに記載の複合装置。
【請求項５】
前記基部が、媒体に画像を形成する画像形成装置の装置本体に相当し、前記回動部が、前記画像形成装置の排出媒体載置台及び該排出媒体載置台に一体的に配設された画像を読み取る画像読み取り装置を含むことを特徴とする請求項１乃至４の何れかに記載の複合装置。
【請求項６】
前記回動部は、前記排出媒体載置台に一体的に配設されたフィニッシャを含むことを特徴とする請求項５記載の複合装置。
【請求項７】
前記回動部は、前記装置本体の上部を閉じる開角０°の閉位置と前記装置本体の上部を開放する所定の開角となる開位置との間で回動することを特徴とする請求項５又は６記載の複合装置。
【請求項８】
前記開位置での開角が約９０°であることを特徴とする請求項７記載の複合装置。
【請求項９】
前記回動部が前記閉位置にあるとき、前記ピニオンギヤがフリーとなることを特徴とする請求項７又は８記載の複合装置。
【発明の詳細な説明】
【技術分野】
【０００１】
本発明は、複合装置に関し、例えば原稿読み取り装置が画像形成装置の上部に載置された複写機やファクシミリ、又は原稿読み取り装置とプリンタとを組み合わせた複合装置等に関する。
【背景技術】
【０００２】
従来、この種の装置では、例えば画像形成装置の上部に原稿読み取り装置を配置し、画像形成装置の紙詰まりやメンテナンスに対応するため、少なくとも上部の原稿読み取り装置を回動自在にして画像形成装置の上方を開放可能に構成したものがあった（例えば、特許文献１参照）。
【０００３】
またこの場合、画像読み取り装置の回動時の操作性を向上させるため、開ける方向の回動時にはフリー状態となり、閉じる方向の回動時には一定の負荷がかかるようにワンウェイヒンジ等を採用したものもある。
【先行技術文献】
【特許文献】
【０００４】
【特許文献１】特開２００８−１５２０５０号公報（第７頁、図１１）
【発明の概要】
【発明が解決しようとする課題】
【０００５】
しかしながら、回動領域における更なる操作性の向上が求められる。
【課題を解決するための手段】
【０００６】
本発明は、基部と該基部に所定の回動領域で回動自在に保持された回動部とを備えた複合装置であって、
前記基部に配設されたワンウェイヒンジと、前記ワンウェイヒンジの回転軸と一体的に回転するピニオンギヤと、前記回動部に配設され、前記回動部が前記回動領域内の第１の回動領域を回動するとき前記ピニオンギヤと噛合する第１のラックギヤと、前記回動部に配設され、前記回動部が前記回動領域内の前記第１の回動領域とは異なる第２の回動領域を回動するとき前記ピニオンギヤと噛合する第２のラックギヤとを有し、
前記第１の回動領域と前記第２の回動領域とは、前記ピニオンギヤがフリーとなる第３の回動領域を介して連続して設けられ、前記回動部が一方向に回動するとき、前記第１の回動領域と前記第２の回動領域とで、前記ピニオンギヤの回転方向が異なるように構成したことを特徴とする。
【発明の効果】
【０００７】
本発明によれば、回動範囲における良好な操作性を維持することが可能となる。
【図面の簡単な説明】
【０００８】
【図１】本発明による実施の形態１の複合装置の正面図である。
【図２】本発明による実施の形態１の複合装置の左側面図である。
【図３】排出媒体載置台３１が閉じた状態を示す説明図である。
【図４】一体化された排出媒体載置台、左右のステイ、画像読み取り装置、及びフィニッシャの重心Ｇが、回動軸の鉛直上方に位置するまで、排出媒体載置台が開く方向に回動した状態を示す説明図である。
【図５】画像形成装置本体の左側部に配設される左サイドシャーシ、排出媒体載置台の回動軸周辺、及び左サイドシャーシに配設される左ワンウェイヒンジの構成を示す分解斜視図である。
【図６】組み立て後の排出媒体載置台の回動軸周辺を、左側からみた左側面図である。
【図７】同軸で一体的に形成された左側回転軸と左ピニオンギヤとを、左ワンウェイヒンジ側からみた側面図である。
【図８】排出媒体載置台が、開角０°から開角９０°まで矢印Ａ方向に回動する際の動作説明に供する状態説明図である。
【図９】排出媒体載置台が、開角０°から開角９０°まで矢印Ａ方向に回動する際の動作説明に供する状態説明図である。
【図１０】排出媒体載置台が、開角０°から開角９０°まで矢印Ａ方向に回動する際の動作説明に供する状態説明図である。
【図１１】排出媒体載置台が、開角０°から開角９０°まで矢印Ａ方向に回動する際の動作説明に供する状態説明図である。
【図１２】排出媒体載置台が、開角０°から開角９０°まで矢印Ａ方向に回動する際の動作説明に供する状態説明図である。
【図１３】排出媒体載置台が、開角９０°から開角０°まで矢印Ｂ方向に回動する際の動作説明に供する状態説明図である。
【図１４】排出媒体載置台が、開角９０°から開角０°まで矢印Ｂ方向に回動する際の動作説明に供する状態説明図である。
【図１５】排出媒体載置台が、開角９０°から開角０°まで矢印Ｂ方向に回動する際の動作説明に供する状態説明図である。
【図１６】排出媒体載置台が、開角９０°から開角０°まで矢印Ｂ方向に回動する際の動作説明に供する状態説明図である。
【図１７】排出媒体載置台が、開角９０°から開角０°まで矢印Ｂ方向に回動する際の動作説明に供する状態説明図である。
【発明を実施するための形態】
【０００９】
実施の形態１．
図１は、本発明による実施の形態１の複合装置の正面図であり、図２はその左側面図である。
【００１０】
これらの図に示すように、複合装置１は、画像読み取り装置１１と画像形成装置２１を備え、例えば、画像読み取り装置１１で読み込んだ画像情報を、画像形成装置１００で印刷する。画像形成装置２１は、その上部に、印刷して排出する印刷媒体を載置する排出媒体載置部３１ａを備えた排出媒体載置台３１を配置している。この排出媒体載置台３１は、後述するように後端部近傍から左右に突出する回動軸３２を備え、画像形成装置２１の本体２１ａによって回動自在に保持されている。以後、画像形成装置２１の、排出媒体載置台３１以外を画像形成装置本体２１ａと称す場合がある。
【００１１】
また上記したように、複合装置１を図１に示す正面からみて、複合装置１の上下左右前後の方向を特定する場合があり、ここでは、上下方向が鉛直方向となるように配置されるものとする。
【００１２】
排出媒体載置台３１の上面の左右の側部には、前後の奥行きが画像形成装置２１よりも浅い左ステイ１３及び右ステイ１４が、その後端を画像形成装置２１に揃え、左右の端辺に沿って固定配置されている。
【００１３】
左右のステイ１３，１４は、それらの上面に載置される画像読み取り装置１１の下面の左右側部を固定的に支持し、これにより排出媒体載置台３１と画像読み取り装置１１とを一体的に連結している。ここでの画像読み取り装置１１は、左右の幅が画像形成装置２１と略一致し、前後の奥行きが左右のステイ１３，１４と略一致し、左右のステイ１３，１４と後端が揃うように配置される。この画像読み取り装置１１は、原稿送りユニット１１ａと、前方の斜め下方に延在する操作パネル１１ｂを備えている。
【００１４】
排出媒体載置台３１の上面には、左右のステイ１３，１４及び画像読み取り装置１１で囲まれる領域において、フィニッシャ１５が固定配置されている。フィニッシャ１５は、ユーザの指示に従って、画像形成装置２１によって印刷され排出される印刷媒体に、穴あけ処理やステープル処理を実行し、前方の斜め上方に延在する媒体載置部１５ａに処理した印刷媒体を載置する。
【００１５】
従って、排出媒体載置台３１、左右のステイ１３，１４、画像読み取り装置１１、及びフィニッシャ１５は、一体的に形成され、図３、図４に示すように、排出媒体載置台３１が回動軸３２を中心に回動するとき、これらが一体的に回動する。尚、後述するように、図３は、排出媒体載置台３１が閉じた状態を示し、図４は、一体化された排出媒体載置台３１、左右のステイ１３，１４、画像読み取り装置１１、及びフィニッシャ１５の重心Ｇが、回動軸３２の鉛直上方に位置するまで、排出媒体載置台３１が開く方向に回動した状態を示している。
【００１６】
またここでは、画像形成装置本体２１ａが基部に相当し、一体的に回動する排出媒体載置台３１、左右のステイ１３，１４、画像読み取り装置１１、及びフィニッシャ１５が回動部に相当する。
【００１７】
図５は、画像形成装置本体２１ａの左側部に配設される左サイドシャーシ２２ａ、排出媒体載置台３１の回動軸３２周辺、及び左サイドシャーシ２２ａに配設される左ワンウェイヒンジ２５の構成を示す分解斜視図である。
【００１８】
図５において、排出媒体載置台３１は、回動軸３２の左側端部が、画像形成装置本体２１ａの左側部に配設された左サイドシャーシ２２ａに形成された軸孔２３に嵌入して支持され、また回動軸３２の右側端部が、画像形成装置２１本体の右側に配設された図示しない右サイドシャーシ２２ａに形成された軸孔２３に嵌入して支持されることにより、画像形成装置本体２１ａに回動自在に保持される。
【００１９】
ここでは、左右のサイドシャーシ２２ａ、２２ｂ（２２ａのみ図示）及び排出媒体載置台３１が、この回動支持や後述するギヤ係合機構の構成を、左右のサイドシャーシ２２ａ、２２ｂの中間の仮想的な中心面（回動軸３２に対して垂直）に対して面対称に構成しているため、ここでは左側における各構成のみを図示して説明する。
【００２０】
図５において、左サイドシャーシ２２ａは、組み立てた段階で、排出媒体載置台３１を、その後方端部に配置された回動軸３２を左右に向けて回動自在に保持し、その回動軸３２の近傍の所定位置において左ワンウェイヒンジ２５をネジにより固定配置する。
【００２１】
左ワンウェイヒンジ２５は、組み立ての段階で左サイドシャーシ２２ａの内側から軸孔２５ａに嵌入し、Ｅリングによって軸方向移動が規制される左側回転軸２６を有し、左サイドシャーシ２２ａの内側に延在するこの左側回転軸２６が、外部から回転力を得て矢印Ｃ方向に回転する際には空転させ、矢印Ｄ方向に回転する際には回転を阻止する方向に逆方向トルクを発生する構成となっている。
【００２２】
左側回転軸２６には、左サイドシャーシ２２ａの内側において、同軸となるように左ピニオンギヤ２７が一体的に配設される。図７は、同軸で一体的に形成された左側回転軸２６と左ピニオンギヤ２７とを、左ワンウェイヒンジ２５側からみた側面図である。後述するように、左側回転軸２６及び左ピニオンギヤ２７は、外部から回転力を得て矢印Ｃ或いは矢印Ｄ方向に回転するように構成され、上記したように矢印Ｃ方向に回転する際には空転し、矢印Ｄ方向に回転する際には回転を阻止する方向の逆方向トルクを受ける。
【００２３】
排出媒体載置台３１には、その内面（閉じたときに内部側となる面）に、左ピニオンギヤ２７と噛合する、第１のラックギヤとしての第１左ラックギヤ３３ａと第２のラックギヤとしての第２左ラックギヤ３３ｂとを有する左ラック部３３が固定配置されている。
【００２４】
図６は、組み立て後の排出媒体載置台３１の回動軸３２周辺を、左側からみた左側面図であるが、内部を明確に示すため、回動軸３２を回動自在に保持し左ワンウェイヒンジ２５を固定配設した左サイドシャーシ２２ａを省いている。
【００２５】
図６に示すように、第１左ラックギヤ３３ａ及び第２左ラックギヤ３４ａは、後述するように、排出媒体載置台３１が回動軸３２中心に所定の回動範囲にわたって回動する際に、それぞれがこの所定の回動範囲内の限定された回動範囲おいて、左ピニオンギヤ２７と異なる側で択一的に噛合し、左ピニオンギヤ２７に異なる方向の回転力を付与する。このため、第１左ラックギヤ３３ａ及び第２左ラックギヤ３３ｂは、回動軸３２を中心とする円弧に沿って形成され、左ピニオンギヤ２７と、回動軸３２の中心と左側回転軸２６の中心を結ぶ線上の、左側回転軸２６を挟んだ対向する位置で個別に噛合する。
【００２６】
即ち、第１左ラックギヤ３３ａは、左ピニオンギヤ２７よりも外側（回動軸３２から遠い側）で形成領域Ｗ１にわたって形成され、後述するように排出媒体載置台３１が第１の回動領域（開角範囲）で回動するときに左ピニオンギヤ２７と噛合し、第２左ラックギヤ３３ｂは、左ピニオンギヤ２７よりも内側（回動軸３２に近い側）で形成領域Ｗ２にわたって形成され、後述するように排出媒体載置台３１が第２の回動領域（開角範囲）で回動するときに左ピニオンギヤ２７と噛合する。
【００２７】
従って、例えば排出媒体載置台３１が矢印Ａ方向に一方向回動するとき、左ピニオンギヤ２７は、第１の回動領域で第１左ラックギヤ３３ａと噛合する間は矢印Ｃ方向（図７）に回転し、第２の回動領域で第２左ラックギヤ３３ｂと噛合する間は矢印Ｄ方向（図７）に回転する。
【００２８】
また、左ラック部３３は、後述するように、第１の回動領域と第２の回動領域との間で、左ピニオンギヤ２７が、第１左ラックギヤ３３ａ及び第２左ラックギヤ３３ｂの何れとも噛合しない第３の回動領域が生じるように、第１左ラックギヤ３３ａ及び第２左ラックギヤ３３ｂの各形成領域Ｗ１，Ｗ２を設定している。
【００２９】
尚、画像形成装置本体２１ａの左側部に配置された左サイドシャーシ２２ａと、左ワンウェイヒンジ２５、左側回転軸２６、左ピニオンギヤ２７、第１左ラックギヤ３３ａ、第２左ラックギヤ３３ｂ、及び左ラック部３３の構成について説明したが、画像形成装置２１の右側においても、図示しない右サイドシャーシ２２ｂと、右ワンウェイヒンジ２５´、右側回転軸２６´、右ピニオンギヤ２７´、第１右ラックギヤ３３ａ´、第２右ラックギヤ３３ｂ´、及び右ラック部３３´が、前記したように、面対称に形成されて同様に構成されている。
【００３０】
図８〜図１２は、排出媒体載置台３１が、図８に示すように閉位置に相当する閉じたときの開角０°から、図１２に示すように開位置に相当する最大に開いたときの開角９０°まで開く矢印Ａ方向に回動する際の、左ピニオンギヤ２７と、第１左ラックギヤ３３ａ又は第２左ラックギヤ３３ｂとの各噛合状態を示す状態説明図である。これらの図８〜図１２を参照しながら、先ず排出媒体載置台３１が開方向（矢印Ａ方向）に回動するときの動作について説明する。
【００３１】
尚、図８〜図１２では、内部を明確に示すため、回動軸３２を回動自在に保持し左ワンウェイヒンジ２５を固定配設した左サイドシャーシ２２ａを省いている。また、簡単のため、排出媒体載置台３１と一体的に配設された画像読み取り装置１１及びフィニッシャ１５についても省いている。従ってここでは、排出媒体載置台３１を、排出媒体載置台３１、左右のステイ１３，１４、画像読み取り装置１１、及びフィニッシャ１５からなる回動部と称す場合がある。
【００３２】
図８に示すように排出媒体載置台３１（回動部）が開角０°の閉じた状態では、左ピニオンギヤ２７と第１左ラックギヤ３３ａとは離間した状態であり、この閉位置から開く方向（矢印Ａ方向）に排出媒体載置台３１（回動部）が回動すると、ここでは開角θ１になった段階で、先ず左ピニオンギヤ２７と第１左ラックギヤ３３ａとが噛合する。図９は、開角がθ１を少し超えた（θ１＋α１）の位置で、左ピニオンギヤ２７と第１左ラックギヤ３３ａとが噛合している状態を示す。
【００３３】
更に排出媒体載置台３１（回動部）が開く方向（矢印Ａ方向）に回動すると、開角θ２になった段階で左ピニオンギヤ２７と第１左ラックギヤ３３ａとが離間し、図１１に示すように開角θ４になった段階で左ピニオンギヤ２７と第２左ラックギヤ３３ｂとが噛合し、図１２に示すように最大に開いたときの開角９０°までこの噛合状態が維持される。
【００３４】
尚ここでは、排出媒体載置台３１（回動部）が、開位置となる開角９０°以上に開かないように図示しない規制手段によって規制されように構成されているが、開位置となる開度は適宜設定されるものである。
【００３５】
図１０は、排出媒体載置台３１（回動部）が、開角θ２と開角θ４の中間位置である開角θ３にあって、左ピニオンギヤ２７が、第１左ラックギヤ３３ａ及び第２左ラックギヤ３３ｂの何れとも離間した状態を示している。またここでは、排出媒体載置台３１（回動部）が、この開角θ３にあるとき、図４に示すように、一体化された回動部の重心Ｇが、回動軸３２の鉛直上方に位置するように構成されている。
【００３６】
従って、ここでの開角θ１，θ２，θ３，θ４の関係は
０°＜θ１＜θ２＜θ３＜θ４＜９０°
θ３＝θ２＋（θ４−θ２）／２であり、
θ１≦第１の回動領域≦θ２
θ２＜第３の回動領域＜θ４
θ４≦第２の回動領域≦９０°
となる。
また、左ピニオンギヤ２７は、前記したように、矢印Ｃ方向に回転する際には空転し、矢印Ｄ方向に回転する際には回転を阻止する方向の逆方向トルクを受ける。
【００３７】
従って、操作者が、図８に示すように開角が０°で閉じた状態の排出媒体載置台３１（回動部）を、矢印Ａ方向に回動して開く際に、開角θ１〜θ２の第１の回動領域においては、例えば図９に示すように左ピニオンギヤ２７と第１左ラックギヤ３３ａとが噛合して左ピニオンギヤ２７が矢印Ｃ方向に空転状態で回転するため、殆ど左ワンウェイヒンジ２５（図５）による回転負荷を受けることなく、排出媒体載置台３１（回動部）を回動することができる。
【００３８】
排出媒体載置台３１（回動部）は、開角θ２〜θ４の第３の回動領域、例えば図１０に示す開角θ３の回動位置にあるとき、左ピニオンギヤ２７が、第１左ラックギヤ３３ａ及び第２左ラックギヤ３３ｂの何れとも離間するため、左ワンウェイヒンジ２５の影響を受けることがない。しかしながらこの第３の回動領域では、前記したように回動部の重心Ｇ（図４）が、回動軸３２の鉛直上方近辺にあるため、排出媒体載置台３１を含む回動部に対する自重による回動作用が小さく、操作者による回動操作が容易な状態となる。
【００３９】
操作者が、排出媒体載置台３１（回動部）を、更に矢印Ａ方向に回動して開く際に、開角θ４〜９０°の第２の回動領域においては、例えば図１１、図１２に示すように左ピニオンギヤ２７と第２左ラックギヤ３３ｂとが噛合して左ピニオンギヤ２７が矢印Ｄ方向に回転することになり、この間左ピニオンギヤ２７は、左ワンウェイヒンジ２５（図５）により回転を阻止する方向に発生する逆方向トルクを受けることになる。
【００４０】
このとき左ワンウェイヒンジ２５（図５）によって発生する逆方向トルクは、排出媒体載置台３１（回動部）が、回動部の重心Ｇが回動軸３２（図４）の鉛直上方を越えた第２の回動領域を開く方向（矢印Ａ方向）に回動するとき、自重によって増加するその回動速度が、例えば必要以上に増加するのを阻止するように設定されるものである。
【００４１】
図１３〜図１７は、排出媒体載置台３１が、図１３に示すように開位置に相当する最大に開いたときの開角９０°から、図１７に示すように閉位置に相当する閉じたときの開角０°まで閉じる方向に回動する際の、左ピニオンギヤ２７と、第１左ラックギヤ３３ａ又は第２左ラックギヤ３３ｂとの各噛合状態を示す状態説明図である。次に、これらの図１３〜図１７を参照しながら、排出媒体載置台３１が閉方向（矢印Ｂ方向）に回動するときの動作について説明する。
【００４２】
尚、図１３〜図１７では、図８〜図１２と同様に、左サイドシャーシ２２ａを省き、更に排出媒体載置台３１と一体的に配設された画像読み取り装置１１及びフィニッシャ１５についても省いている。従ってここでも、排出媒体載置台３１を、排出媒体載置台３１、左右のステイ１３，１４、画像読み取り装置１１、及びフィニッシャ１５からなる回動部と称す場合がある。
【００４３】
操作者が、図１３に示すように開角が９０°で最大に開いた状態の排出媒体載置台３１（回動部）を、矢印Ｂ方向に回動して閉じる際に、開角９０°〜θ４（図１１参照）の第２の回動領域においては、例えば図１３に示すように、左ピニオンギヤ２７と第２左ラックギヤ３３ｂとが噛合して左ピニオンギヤ２７が矢印Ｃ方向に空転状態で回転するため、この間、殆ど左ワンウェイヒンジ２５（図５）による回転負荷を受けることなく、排出媒体載置台３１（回動部）を回動することができる。  
【００４４】
操作者が、排出媒体載置台３１を更に矢印Ｂ方向に回動して閉じる際に、例えば図１４に示すように、左ワンウェイヒンジ２５の影響を受けることなく回動操作が容易な開角θ４〜θ２の第３の回動領域（開角θ３を含む）を経た開角θ２〜θ１の第１の回動領域においては、例えば図１５、図１６に示すように左ピニオンギヤ２７と第１左ラックギヤ３３ａとが噛合して左ピニオンギヤ２７が矢印Ｄ方向に回転することになり、この間左ピニオンギヤ２７は、左ワンウェイヒンジ２５（図５）により回転を阻止する方向に発生する逆方向トルクを受けることになる。
【００４５】
このとき左ワンウェイヒンジ２５（図５）によって発生する逆方向トルクは、排出媒体載置台３１（回動部）が、回動部の重心Ｇが回動軸３２（図４）の鉛直上方を越えた第１の回動領域を閉じる方向に回動するとき、自重によって増加するその回動速度が、必要以上に増加するのを阻止する。
【００４６】
やがて排出媒体載置台３１（回動部）は、その開角が０°に近いθ１以下になると、左ピニオンギヤ２７と第１左ラックギヤ３３ａとが離間するため、左ワンウェイヒンジ２５による逆方向トルクを受けなくなるが、直ちに図１７に示す開角０°の閉位置に至るため、必要以上に回動速度が増加することはない。またこの離間により、逆方向トルクによって排出媒体載置台３１に発生する撓み応力を抑制し、クリープ変形の発生を防止できる。
【００４７】
また排出媒体載置台３１（回動部）は、開角０°の閉じた状態では、左ワンウェイヒンジ２５に通じる左ピニオンギヤ２７の影響を受けることがないため、浮いてしまうといった不都合を避けることができる。
【００４８】
尚、画像形成装置２１の左側部に配置された左サイドシャーシ２２ａと、左ワンウェイヒンジ２５、左側回転軸２６、左ピニオンギヤ２７、第１左ラックギヤ３３ａ、及び第２左ラックギヤ３３ｂの動作について説明したが、画像形成装置２１の右側部においても、前記したように面対称に形成された図示しない右サイドシャーシ２２ｂと、右ワンウェイヒンジ２５´、右側回転軸２６´、右ピニオンギヤ２７´、第１右ラックギヤ３３ａ´、及び第２右ラックギヤ３３ｂ´が同様に動作するものである。
【００４９】
またここでは、第１の回動領域で左ピニオンギヤ２７よりも外側に形成された第１の左ラックギヤ３３ａが左ピニオンギヤ２７と噛合し、第２の回動領域で左ピニオンギヤ２７よりも内側に形成された第２の左ラックギヤ３３ｂが左ピニオンギヤ２７と噛合するように形成したが、これに限定されるものではなく、第１の回動領域で左ピニオンギヤ２７よりも内側に形成されたラックギヤが左ピニオンギヤ２７と噛合し、第２の回動領域で左ピニオンギヤ２７よりも外側に形成されたラックギヤが左ピニオンギヤ２７と噛合するように形成してもよい。
【００５０】
但しこの場合、左ワンウェイヒンジ２５は、左側回転軸２６が、外部から回転力を得て矢印Ｄ方向に回転する際には空転させ、矢印Ｃ方向に回転する際には回転を阻止する方向に逆方向トルクを発生する構成とする。
【００５１】
以上のように、本実施の形態の複合装置によれば、回動部が閉位置と開位置との間で回動する途中において、その重心が回動軸の鉛直上方を跨ぐような場合、どちらの方向においても、自重によって回動速度が増加しようとする回動領域においてのみ、必要以上に回動速度が増加するのを抑制できる。従って、回動範囲において良好な操作性が得られる。また一つのワンウェイヒンジを用いた機構によってその抑制作用が完結するため、構成の簡素化、コストダウンに寄与できる。
【産業上の利用可能性】
【００５２】
前記した実施の形態１では、本発明を画像形成装置と画像読み取り装置とからなる複合装置に適用した例を説明したが、これに限定されるものではなく、回動部を備えたＭＦＰやファクシミリなどにも適用可能である。
【符号の説明】
【００５３】
１  複合装置、  １１  画像読み取り装置、  １１ａ  原稿送りユニット、  １１ｂ  操作パネル、  １３  左ステイ、  １４  右ステイ、  １５  フィニッシャ、  １５ａ  媒体載置部、  ２１  画像形成装置、  ２１ａ  画像形成装置本体、  ２２ａ  左サイドシャーシ、  ２３  軸孔、  ２５  左ワンウェイヒンジ、  ２５ａ  軸孔、  ２６  左側回転軸、  ２７  左ピニオンギヤ、  ３１  排出媒体載置台、  ３１ａ  排出媒体載置部、  ３２  回動軸、  ３３  左ラック部、  ３３ａ  第１左ラックギヤ、  ３３ｂ  第２左ラックギヤ。
【図１】
2015225266.tif 000003
【図２】
2015225266.tif 000004
【図３】
2015225266.tif 000005
【図４】
2015225266.tif 000006
【図５】
2015225266.tif 000007
【図６】
2015225266.tif 000008
【図７】
2015225266.tif 000009
【図８】
2015225266.tif 000010
【図９】
2015225266.tif 000011
【図１０】
2015225266.tif 000012
【図１１】
2015225266.tif 000013
【図１２】
2015225266.tif 000014
【図１３】
2015225266.tif 000015
【図１４】
2015225266.tif 000016
【図１５】
2015225266.tif 000017
【図１６】
2015225266.tif 000018
【図１７】
2015225266.tif 000019